(57)【要約】【課題】  ブルートゥースヘッドセットを用いて携帯端末同士でＶｏＩＰ通信を行うシステムにおいて、事前に音声音質レベルを確認するための電子機器を提供することを目的としている。【解決手段】  予め電子機器の衝突確率と音質レベルとの関係を求めておき、ＩＥＥＥ８０２．１１ｂの未使用周波数帯域に対するブルートゥースが使用可能なチャンネル数をパラメータとして、電子機器の台数別の衝突確率を算出し、この衝突確率に対する音質レベルを先に求めておいたデータより読み出して、電子機器の台数別に音質レベルを表示する。【選択図】      図１
2006222723.tif 000002
【特許請求の範囲】
【請求項１】
第１の通信方式にしたがって無線通信を行う第１の無線部と、第２の通信方式にしたがって無線通信を行う第２の無線部とを備えた電子機器において、
前記第１の通信方式による無線データの衝突確率と情報の品質との関係を示す品質データを設定し、記憶領域に格納する品質データ設定手段と、
前記第２の通信方式で使用する周波数帯域を設定する周波数帯域設定手段と、
前記第２の通信方式で使用されない周波数帯域に対して前記第１の通信方式で使用できる周波数帯域を算出する周波数帯域算出手段と、
この周波数帯域算出手段によって算出された周波数帯域おける、前記第１の通信方式の同時使用台数に対する無線データの衝突確率を算出する衝突確率算出手段と、
この衝突確率算出手段によって算出された前記衝突確率に対応する前記品質データを、前記品質データ設定手段より読出す品質データ読出し手段と、
この品質データ読出し手段により読出された品質データを出力する出力手段と、
を備えたことを特徴とする電子機器。
【請求項２】
第１の通信方式にしたがって無線通信を行う第１の無線部と、第２の通信方式にしたがって無線通信を行う第２の無線部とを備えた電子機器において、
前記第１の通信方式の無線データの衝突確率と情報の品質との関係を示す品質データを設定し、記憶領域に格納する品質データ設定手段と、
前記第１の通信方式で使用する周波数帯域を設定する第１の周波数帯域設定手段と、
前記第２の通信方式で使用する周波数帯域を設定する第２の周波数帯域設定手段と、
この第２の周波数帯域設定手段によって設定された前記第２の通信方式に対して、前記第１の周波数帯域設定手段により設定された周波数帯域において前記第１の通信方式の同時使用台数に対する無線データの衝突確率を算出する衝突確率算出手段と、
この衝突確率算出手段によって算出された前記衝突確率に対する前記品質データを、前記品質データ設定手段より読出す品質データ読出し手段と、
この品質データ読出し手段により読出された品質データを出力する出力手段と、
を備えたことを特徴とする電子機器。
【請求項３】
前記第１の通信方式は、ブルートゥース規格に基づく通信方式であり、前記第２の通信方式は、ＩＥＥＥ８０２．１１ｂ規格に基づく通信方式であることを特徴とする請求項１または２に記載の電子機器。
【請求項４】
前記品質データ設定手段は、前記第１の通信方式の無線データの衝突確率と品質データとの関係を示すデータを設定することを特徴とする請求項１または２に記載の電子機器。
【請求項５】
前記品質データ設定手段は、前記第１の通信方式の無線データの衝突確率と品質データとの関係を示す計算式を設定することを特徴とする請求項１または２に記載の電子機器。
【請求項６】
前記出力手段は、衝突確率と品質データとの関係を示すデータを用いて、品質データを電子機器の台数別に算出することを特徴とする請求項１または２に記載の電子機器。
【請求項７】
第１の通信方式にしたがって無線通信を行う第１の無線部と、第２の通信方式にしたがって無線通信を行う第２の無線部とを備えた電子機器において、
前記第１の通信方式による無線データの衝突確率と情報の品質との関係を示す品質データを設定し、記憶領域に格納する品質データ設定ステップと、
前記第２の通信方式で使用する周波数帯域を設定する周波数帯域設定ステップと、
前記第２の通信方式で使用されない周波数帯域に対して前記第１の通信方式で使用できる周波数帯域を算出する周波数帯域算出ステップと、
この周波数帯域算出ステップによって算出された周波数帯域おける、前記第１の通信方式の同時使用台数に対する無線データの衝突確率を算出する衝突確率算出ステップと、
この衝突確率算出ステップによって算出された前記衝突確率に対応する前記品質データを、前記品質データ設定ステップより読出す品質データ読出しステップと、
この品質データ読出しステップにより読出された品質データを出力する出力ステップと、
を備えたことを特徴とする電子機器の制御方法。
【請求項８】
第１の通信方式にしたがって無線通信を行う第１の無線部と、第２の通信方式にしたがって無線通信を行う第２の無線部とを備えた電子機器において、
前記第１の通信方式の無線データの衝突確率と情報の品質との関係を示す品質データを設定し、記憶領域に格納する品質データ設定ステップと、
前記第１の通信方式で使用する周波数帯域を設定する第１の周波数帯域設定ステップと、
前記第２の通信方式で使用する周波数帯域を設定する第２の周波数帯域設定ステップと、
この第２の周波数帯域設定ステップによって設定された前記第２の通信方式に対して、前記第１の周波数帯域設定ステップにより設定された周波数帯域において前記第１の通信方式の同時使用台数に対する無線データの衝突確率を算出する衝突確率算出ステップと、
この衝突確率算出ステップによって算出された前記衝突確率に対する前記品質データを、前記品質データ設定ステップより読出す品質データ読出しステップと、
この品質データ読出しステップにより読出された品質データを出力する出力ステップと、
を備えたことを特徴とする電子機器の制御方法。
【請求項９】
前記第１の通信方式は、ブルートゥース規格に基づく通信方式であり、前記第２の通信方式は、ＩＥＥＥ８０２．１１ｂ規格に基づく通信方式であることを特徴とする請求項７または８に記載の電子機器の制御方法。
【発明の詳細な説明】
【技術分野】
【０００１】
本発明は、異なる通信プロトコルを備えた情報機器を実用上何台まで使用できるかをシミュレートする電子機器、及び電子機器の制御方法に関し、特に、携帯端末同士がＶｏＩＰ（Voice over Internet Protocol）を行うシステムにおいて、事前に音声品質レベルを確認する方法に関する。
【背景技術】
【０００２】
同じ周波数帯域を使用して異なる通信プロトコルで通信ができるようにした情報機器及びその制御方法に関しては、例えば、ＩＥＥＥ８０２．１１ｂ通信プロトコルとブルートゥース（Bluetooth）通信プロトコルとを使用し、どちらかのプロトコルの無線部を選択可能として、選択されたプロトコルでないプロトコルの無線部を使用不可になるよう制御する携帯型情報機器が提案されている（例えば、特許文献１参照）。
【０００３】
また、ＩＥＥＥ８０２．１１ｂ通信プロトコルとブルートゥース通信プロトコルとを使用し、ブルートゥース通信プロトコルを使用している場合は、２本あるＩＥＥＥ８０２．１１ｂ通信プロトコル用のアンテナのうち、ブルートゥース通信プロトコル用アンテナから離れているアンテナに切替えるよう制御する電子機器についても知られている（例えば、特許文献２参照）。
【０００４】
【特許文献１】特開２００３−８７２６９号公報
【特許文献２】特開２００４−３２４６２号公報
【発明の開示】
【発明が解決しようとする課題】
【０００５】
しかしながら、特開２００３−８７２６９号公報で開示された技術によるものは、常にＩＥＥＥ８０２．１１ｂ通信プロトコルとブルートゥース通信プロトコルとのどちらか一方しか動作しないので、両方動作しても問題がない環境の場合は効率が悪い。また、特開２００４−３２４６２号公報ではＩＥＥＥ８０２．１１ｂ通信プロトコル用のアンテナが２本必要となるのでコスト高になり、アンテナのスペースも必要となり装置が大型化してしまう問題があった。
【０００６】
また、ブルートゥースヘッドセットを用いて携帯端末同士でＶｏＩＰ通信を行う場合、ブルートゥース  Ｖｅｒ１．２を使用したシステムでＡＦＨ（Adaptive Frequency Hopping）機能がある場合でも、ＩＥＥＥ８０２．１１ｂが帯域の大半を占有していると効果が無く、衝突によってＶｏＩＰ動作での音質が悪化すると言う問題があった。
【０００７】
更に、ＩＥＥＥ８０２．１１ｂが帯域の占有していない場合でも、ブルートゥースで通信する機器の台数が増加すると衝突が起こり、ＶｏＩＰ動作での音質が悪化すると言う問題があった。
このように、ＶｏＩＰでの音質を確認するにはＶｏＩＰ動作を行ってからでないと判断出来ないと言う問題があった。
【０００８】
本発明は上記の点に鑑みなされたもので、異なる通信プロトコルを備えた情報機器を実用上何台まで使用できるかを、実際に使用する場所においてシミュレートし、事前に音声音質レベルを確認することができる電子機器及びその制御方法を提供することを目的としている。
【課題を解決するための手段】
【０００９】
上記目的を達成する為に本発明の請求項１の電子機器は、第１の通信方式にしたがって無線通信を行う第１の無線部と、第２の通信方式にしたがって無線通信を行う第２の無線部とを備えた電子機器において、前記第１の通信方式による無線データの衝突確率と情報の品質との関係を示す品質データを設定し、記憶領域に格納する品質データ設定手段と、前記第２の通信方式で使用する周波数帯域を設定する周波数帯域設定手段と、前記第２の通信方式で使用されない周波数帯域に対して前記第１の通信方式で使用できる周波数帯域を算出する周波数帯域算出手段と、この周波数帯域算出手段によって算出された周波数帯域おける、前記第１の通信方式の同時使用台数に対する無線データの衝突確率を算出する衝突確率算出手段と、この衝突確率算出手段によって算出された前記衝突確率に対応する前記品質データを、前記品質データ設定手段より読出す品質データ読出し手段と、この品質データ読出し手段により読出された品質データを出力する出力手段とを備えたことを特徴とする。
【００１０】
このような構成をとることにより、第２の通信方式で使用していない周波数帯域において、第１の通信方式で使用する電子機器の使用台数別の品質データを出力するので、事前に品質レベルを確認することができるという効果が期待できる。
【００１１】
請求項２の電子機器は、第１の通信方式にしたがって無線通信を行う第１の無線部と、第２の通信方式にしたがって無線通信を行う第２の無線部とを備えた電子機器において、前記第１の通信方式の無線データの衝突確率と情報の品質との関係を示す品質データを設定し、記憶領域に格納する品質データ設定手段と、前記第１の通信方式で使用する周波数帯域を設定する第１の周波数帯域設定手段と、前記第２の通信方式で使用する周波数帯域を設定する第２の周波数帯域設定手段と、この第２の周波数帯域設定手段によって設定された前記第２の通信方式に対して、前記第１の周波数帯域設定手段により設定された周波数帯域において前記第１の通信方式の同時使用台数に対する無線データの衝突確率を算出する衝突確率算出手段と、この衝突確率算出手段によって算出された前記衝突確率に対する前記品質データを、前記品質データ設定手段より読出す品質データ読出し手段と、この品質データ読出し手段により読出された品質データを出力する出力手段とを備えたことを特徴とする。
【００１２】
このような構成をとることにより、第１の通信方式で使用したい周波数帯域において、第２の通信方式での周波数帯域の使用状況に応じた、第１の通信方式で使用する電子機器の使用台数別の品質データを出力するので、事前に品質レベルを確認することができるという効果が期待できる。
【発明の効果】
【００１３】
本発明によれば、異なる通信プロトコルを備えた情報機器を実用上何台まで使用できるかを実際に使用する場所においてシミュレートすることができる。
特に、携帯端末同士がＶｏＩＰを行うシステムにおいて、事前に音声品質レベルを確認することができるので、通信したが音質レベルが悪くて使用に耐えないと言ったことがなくなる。
【００１４】
また、一方の通信プロトコルの周波数帯域を固定にして、その空いている周波数帯域に対して他方の通信プロトコルによる通信可能台数や音質レベルをシミュレートすることが可能となり、状況に応じて事前にて使用台数と音質レベルを予測して出力することができる。
【発明を実施するための最良の形態】
【００１５】
（第１の実施の形態）
本発明による電子機器を用いたシステム５の構成を図１に示す。
図１において、電子機器は例えば、ハンディターミナル、ＰＤＡ、音楽再生機などの携帯端末１ａからなり、この携帯端末１ａから出力される音声データはヘッドセット２ａに送られて音声出力される。
【００１６】
ヘッドセット２ａは、詳細な構成は後述するがスピーカが耳に取り付けられるように構成されており、携帯端末１ａとヘッドセット２ａ間はブルートゥース通信プロトコルにてデータの授受が行われる。また、携帯端末１ａはアクセスポイント３ａ，３ｂ，３ｃ，３ｄとデータ通信が可能で、携帯端末１ａとアクセスポイント３ａ，３ｂ，３ｃ，３ｄとの間はＩＥＥＥ８０２．１１ｂ通信プロトコルにて接続できるようになっている。また、各アクセスポイント３ａ，３ｂ，３ｃ，３ｄはネットワーク４に接続されており、それ故、ヘッドセット２ａを用いる携帯端末１ａが例えば、アクセスポイント３ｃと接続している他のヘッドセット２ｂを有する携帯端末１ｂとＶｏＩＰ音声通信ができる。
【００１７】
図２は携帯端末１ａ，１ｂの回路ブロック図を示し、図３はヘッドセット２ａ，２ｂの回路ブロック図を示す。図２において携帯端末１ａ，１ｂは、制御プログラムを実行して各構成要素を制御するＣＰＵ１−１と、ＲＯＭ１−２、ＲＡＭ１−３、表示用メモリＶ−ＲＡＭ１−４、キー入力部１−５、表示部１−６、ＣＯＤＥＣ１−７、後述する基準音データが格納されたメモリカードなどの外部記憶部１−８、そして通信インターフェースとしてブルートゥースモジュール１−９及びＩＥＥＥ８０２．１１ｂモジュール１−１０などから構成されている。
【００１８】
一方、図３に示すヘッドセット２ａ，２ｂは、制御プログラムを実行して各構成要素を制御するＣＰＵ２−１と、ＲＯＭ２−２、ＲＡＭ２−３、表示用メモリＶ−ＲＡＭ２−４、音声入力用のマイクロフォン２−５、音声出力用のスピーカ２−６、表示部２−７、ＣＯＤＥＣ２−８、及び通信インターフェースとしてブルートゥースモジュール２−９などから構成されている。
【００１９】
図４はブルートゥースのチャンネルと中心周波数を示し、１ＭＨｚ毎にチャンネルが割り当てられている。
また、図５はＩＥＥＥ８０２．１１ｂのチャンネルと中心周波数を示し、５ＭＨｚ毎にチャンネルが割り当てられている。
【００２０】
図６は第１の実施の形態による携帯端末１ａの周波数帯域を示す。同図（ａ）はブルートゥースの、同図（ｂ）はＩＥＥＥ８０２．１１ｂによるチャンネルと周波数−パワー特性を示している。
【００２１】
ここでは、同図（ｂ）に示す如く、ＩＥＥＥ８０２．１１ｂで現在使用しているチャンネルが１ＣＨ，６ＣＨ，１３ＣＨであるとしていて、それぞれの使用周波数帯域６，７，８の部分は塗りつぶして表示している。また、それぞれの帯域幅は２２ＭＨｚであり、従って、未使用周波数帯域の９と１０は、図４及び図５よりそれぞれ３ＭＨｚと１３ＭＨｚとなる。
【００２２】
次に、この第１の実施の形態の携帯端末１ａにおいて、上記未使用周波数帯域９と１０へ図６（ａ）のブルートゥースチャンネルをどれだけの電子機器台数分割り当てられるかを表示出力する動作について説明する。
【００２３】
先ず、携帯端末１ａにおいて衝突確率と音声品質レベル（以下、音質レベルと記載する）との関係を求める処理である、音質レベル確定処理について、図７のフローチャートを用いて説明する。
【００２４】
ステップＳ１０（以下「ステップ」は省略して記載する）においては、音質レベルを判定するための基準音のデータが外部記憶部１−８に格納されているので、ＲＡＭ１−３に読み込む。このＲＡＭ１−３に読み込まれた基準音データは図８に示す音質レベル６の高品質の音データから、音質レベル１に示す低品質の音データまでとなっており、各レベルの音質レベルを確認あるいは覚える為に図示しない操作スイッチで音質レベルを指定してその音質レベルの音データをヘッドセット２ａに送って再生させる。
【００２５】
このようにして各レベルの音を確認した後は、続いて、図８に示す衝突確率と音質レベルとの関係における横軸に相当する衝突確率の初期値、例えば「１０」をＲＡＭ１−３に設定する（Ｓ１１）。
【００２６】
次に、設定した衝突確率に比例してデータ量を減少させる（Ｓ１２）。即ち、音質レベルを劣化して行く。尚、データ量を減少させた音データを加工した基準音データと呼称する。この加工した基準音データをヘッドセット２のスピーカ２−６から一定時間再生出力する（Ｓ１３）。この再生出力中に音の音質レベルが判定されて、音質レベルデータがキー入力部１−５より入力されたか否かを判断する（Ｓ１４）。一定時間入力が無かったときは（Ｎｏ）はＳ１３に戻ってやり直す。Ｓ１４にて判定結果の音質レベルがキー入力部１−５より入力された場合（Ｙｅｓ）は、衝突確率と対応付けてＲＡＭ１−３の衝突確率対応音質レベル記憶領域に格納する（Ｓ１５）。
【００２７】
次に、衝突確率の上限になったかをチェックし（Ｓ１６）、上限（本例では１００％とした）に達していれば（Ｙｅｓ）終了し、達していなければ（Ｎｏ）衝突確率を増分値（本例では１０％とした）だけ上げて（Ｓ１７）Ｓ１２へ戻り、加工した基準音データを変化させながら衝突確率と音質レベルの関係を測定する。
【００２８】
以上によって、予め図８の関係を計測して、衝突確率にたいする音質レベルを１（悪い）から６（良い）の６段階に判定して判定結果を衝突確率と対応付けて、ＲＡＭ１−３の図示しない衝突確率対応音質レベル記憶領域に格納する。
【００２９】
第１の実施の形態による携帯端末の台数別音質レベルを表示出力する処理を、図９のフローチャートを用いて説明する。
【００３０】
ここでは、図６（ｂ）に示すように、ＩＥＥＥ８０２．１１ｂで現在使用していない未使用周波数帯域の９と１０へ図６（ａ）のブルートゥースチャンネルをどれだけの電子機器を割り当てられるかを表示出力するものである。
先ず実際に使用する場所において、ＩＥＥＥ８０２．１１ｂが現在使用しているチャンネルを携帯端末１ａ，１ｂにて取得する（Ｍ１０）。これによって、図６（ｂ）の例では使用チャンネル１，６，１３が避けたい帯域として携帯端末１ａ，１ｂに設定される。従って、図２のＣＰＵ１−１よりブルートゥースモジュール１−９に対してチャンネル１，６，１３を避けてホッピングするようにＡＦＨ設定が行われたことになる。
【００３１】
続いて、取得したＩＥＥＥ８０２．１１ｂの使用しているチャンネルより、ブルートゥースで使用可能なチャンネル数，Ｃを求める（Ｍ１１）。ここでは、図６（ｂ）の未使用周波数帯域の９と１０を求めて、図４及び５の関係より衝突せずに使用可能なブルートゥースのチャンネル数Ｃを求める。
【００３２】
次に、ブルートゥースとＩＥＥＥ８０２．１１ｂの衝突確率を携帯端末１の台数別に（１）式にて計算して求める。
衝突確率 Ｘ［％］＝（Ｃ−１）／ｎ × １００      （１）式
ここで、Ｃはブルートゥースで使用するチャンネル数、ｎは携帯端末１の台数である。
【００３３】
図１０にはブルートゥースで使用するチャンネル数Ｃをパラメータとして、携帯端末１の台数ｎに対する衝突確率を表したものである。また、同図に示したＶｏＩＰ音質レベルは、図７にて決定した一例を示すものである。
【００３４】
続いて、求められた衝突確率に対する音質レベルを、予め設定しておいたＲＡＭ１−３の衝突確率対応音質レベル記憶領域に格納されたデータを読み出して求める（Ｍ１３）。そして、これらの関係を図１１に示すように、携帯端末１の表示部１−６に出力する（Ｍ１４）。
【００３５】
（第２の実施の形態）
以下に、本発明による電子機器の第２の実施の形態を示す。尚、この第２の実施の形態におけるシステム構成及び携帯端末は図１乃至図３と同様である為、その詳細な説明は省略する。図１２は第２の実施の形態による電子機器の周波数帯域を示す。同図（ａ）はブルートゥースの、同図（ｂ）はＩＥＥＥ８０２．１１ｂによるチャンネルと周波数−パワー特性を示している。
【００３６】
ここでは、同図（ａ）に示す如く、ブルートゥース側で使用すべきチャンネルを設定した場合、ＩＥＥＥ８０２．１１ｂで現在使用しているチャンネルに対してどれだけの電子機器台数分割り当てられるかを表示出力する動作について説明する。
【００３７】
同図（ａ）の例では、チャンネル２９からチャンネル４８までの２０チャンネルを使用しようとするものであるが、この例では、同図（ｂ）より、ＩＥＥＥ８０２．１１ｂの３から１０チャンネルがこれに干渉することになる。
【００３８】
第２の実施の形態においても、予め図７の音質レベル確定処理を行い、図８の関係をＲＡＭ１−３の衝突確率対応音質レベル記憶領域に格納しておくものとする。
【００３９】
第２の実施の形態による携帯端末の台数別音質レベルを表示出力する処理を、図１３のフローチャートを用いて説明する。
【００４０】
先ず実際に使用する場所において、図１２（ａ）のようにブルートゥースが使用を希望するチャンネル幅を携帯端末１ａ，１ｂにキー入力部１−５より設定する（Ｍ２０）。次に、ＩＥＥＥ８０２．１１ｂが現在使用しているチャンネルを携帯端末１ａ，１ｂにて取得する（Ｍ２１）。続いて、取得したＩＥＥＥ８０２．１１ｂの使用しているチャンネルより、Ｍ２０で入力した周波数帯域でブルートゥースの使用可能なチャンネル数，Ｃを求める（Ｍ２２）。ここでは、第１の実施の形態による図６（ｂ）の未使用周波数帯域の９と１０を求めるのと同様にして、図１２（ｂ）と図４及び５の関係より衝突せずに使用可能なブルートゥースのチャンネル数Ｃを求める。
続くＭ２３からＭ２５は図９のＭ１２からＭ１４と同じ処理であるため説明を省略する。
【００４１】
図１４には、図１２（ａ）で示すブルートゥースで使用するチャンネル幅に対するＩＥＥＥ８０２．１１ｂの使用中のチャンネル番号をパラメータとして、携帯端末１の台数ｎに対する衝突確率を表したものである。また、同図に示したＶｏＩＰ音質レベルは、図７にて決定した一例を示すものである。
【００４２】
図１５には、携帯端末１ａにおいて衝突確率と音質レベルとの関係を求める処理、図８の変形例を示している。図８は図７のフローチャートを用いて説明した通り、判定結果の音質レベルをキー入力部１−５より入力して、衝突確率と対応付けて、ＲＡＭ１−３の衝突確率対応音質レベル記憶領域に格納していた（Ｓ１５）。
【００４３】
図１５では、このようにして求めた判定結果を数式にてＲＡＭ１−３の衝突確率対応音質レベル記憶領域に格納するものである。これによって、より簡便な方法にて衝突確率に対する音質レベルが求められる。
【００４４】
また、図１６は、携帯端末台数と音質レベルの結果を携帯端末１の表示部１−６に出力する、他の表示出力例を示している。
【００４５】
尚、上記実施の形態では、電子機器は携帯端末に限定されるものではなく、据え置き型であっても良い。また、通信プロトコルはブルートゥースとＩＥＥＥ８０２．１１ｂでは無く、他の通信プロトコルであっても良い。
【図面の簡単な説明】
【００４６】
【図１】本発明による電子機器を用いたシステム構成図を示す。
【図２】本発明による携帯端末１の回路ブロック図を示す。
【図３】本発明によるヘッドセット２の回路ブロック図を示す。
【図４】ブルートゥースのチャンネルと中心周波数を示す
【図５】ＩＥＥＥ８０２．１１ｂのチャンネルと中心周波数を示す。
【図６】図６（ａ）はブルートゥースの、図６（ｂ）はＩＥＥＥ８０２．１１ｂによるチャンネルと周波数−パワー特性を示している。
【図７】第１の実施の形態における衝突確率と音質レベルとの関係を求める処理内容を示すフローチャートである。
【図８】第１の実施の形態における衝突確率と音質レベルとの関係を示す。
【図９】第１の実施の形態における携帯端末の台数別音質レベルを表示出力する処理内容を示すフローチャートである。
【図１０】ブルートゥースで使用するチャンネル数Ｃをパラメータとして、携帯端末１の台数ｎに対する衝突確率を表したものである。
【図１１】本発明による端末台数と音質レベルの関係の出力である。
【図１２】第２の実施の形態による電子機器の周波数帯域の関係を示し、同図（ａ）はブルートゥースの、同図（ｂ）はＩＥＥＥ８０２．１１ｂによるチャンネルと周波数−パワー特性を示している。
【図１３】第２の実施の形態における携帯端末の台数別音質レベルを表示出力する処理内容を示すフローチャートである。
【図１４】図１２（ａ）で示すブルートゥースで使用するチャンネル幅に対するＩＥＥＥ８０２．１１ｂの使用中のチャンネル番号をパラメータとして、携帯端末１の台数ｎに対する衝突確率を表したものである。
【図１５】衝突確率と音質レベルとの関係を求める処理、図８の変形例を示している。
【図１６】携帯端末台数と音質レベルの結果の他の表示出力例を示している。
【符号の説明】
【００４７】
１  携帯端末
２  ヘッドセット
３  アクセスポイント
４  ネットワーク
５  電子機器を用いたシステム
６，７，８  使用周波数帯域
９，１０  未使用周波数帯域
【図１】
2006222723.tif 000003
【図２】
2006222723.tif 000004
【図３】
2006222723.tif 000005
【図４】
2006222723.tif 000006
【図５】
2006222723.tif 000007
【図６】
2006222723.tif 000008
【図７】
2006222723.tif 000009
【図８】
2006222723.tif 000010
【図９】
2006222723.tif 000011
【図１０】
2006222723.tif 000012
【図１１】
2006222723.tif 000013
【図１２】
2006222723.tif 000014
【図１３】
2006222723.tif 000015
【図１４】
2006222723.tif 000016
【図１５】
2006222723.tif 000017
【図１６】
2006222723.tif 000018